(57)【要約】【課題】簡単な構造により、棒状化粧料塗布容器内に保持される棒状化粧料の突出又は収容を確実に行うことができるようにする。【解決手段】本体内に内装する繰出機構Ａを、本体２内外方向に摺動し、回止筒と結合自在となる外筒３の第１繰出機構Ａ’と、該外筒３と結合自在となる回止筒８と一体となり棒状化粧料５を保持する中皿７に連結するネジ軸６に噛合するネジ筒１１との第２繰出機構Ａ”とすることで、繰出機構を簡単として高い部品精度を不要とし、本体の回転によって、外筒３と回止筒８とを結合、又は解離させるものとした上で、外筒内に収容される中筒内の棒状化粧料を確実に突出させ、又は棒状化粧料が突出していても、外筒からは突出してしまうことなく中筒を外筒内に確実に収容することができる。【選択図】図２
2014014527.tif 000002
【特許請求の範囲】
【請求項１】
内装する繰出機構により、外筒内の中筒内において保持される棒状化粧料を前進自在に収容する本体と、該本体の前端開口部に対して着脱自在となるキャップとから構成され、
該本体内において、ネジ軸と連結する中皿と一体となる棒状化粧料を前進可能に保持する中筒と、後述する外筒と共に、本体に対して相対的に回転可能になる回止筒とを固持するものであって、
該本体内において内装される繰出機構を、
該本体内外方向に摺動し、本体内に固持される回止筒と一体となる外筒の第１繰出機構と、
中皿と連結するネジ軸と、該ネジ軸が回転不能に貫通し、外筒と一体となり、本体に対して相対的に回転可能になる回止筒と、該ネジ軸と噛合し、本体に対して相対的に回転不能になるネジ筒とからなる第２繰出機構とからなるものとし、
外筒の本体内外方向への摺動とともに、該外筒と一体となる回止筒によって露出した中筒内において保持される棒状化粧料を突出させ、又は中筒を外筒内へ収容してなる
ことを特徴とする棒状化粧料塗布容器。
【請求項２】
上記繰出機構において、
第１繰出機構は、側面に軸先端方向に対して左巻きのラセン溝を刻設し、本体に対して嵌合されるラセン筒と、外側面に該ラセン筒のラセン溝に遊嵌する突起を突設するとともに、後端縁に後述する回止筒の片歯カムと一方向のみ噛合して結合自在となる片歯カムを形成して、本体内外方向に摺動自在となる外筒とからなり、
第２繰出機構は、軸先端方向に向かって左巻きのネジ部を有し、棒状化粧料を保持する中皿と一体となるネジ軸と、該ネジ軸が回転不能に貫通するものであって、外方に向かって突設される鍔部に前記外筒の片歯カムと一方向のみ噛合して結合自在となる片歯カムを形成して、本体に対して相対的に回転可能になる回止筒と、該ネジ軸のネジ部と噛合する噛合せ部を形成し、本体に対して回転不能となるように嵌合されるネジ筒とからなるものであって、
本体の回転によって、外筒を本体内方向へ摺動させて中筒を露出させるとともに、外筒の片歯カムと回止筒の片歯カムとを噛合させて一体に結合させた上で、ネジ筒によって露出した中筒内において中皿に一体に保持される棒状化粧料を突出させ、又は外筒を本体外方向へ摺動させて中筒を外筒内ヘ収容してなる
ことを特徴とする請求項１記載の棒状化粧料塗布容器。
【請求項３】
上記繰出機構において、
第１繰出機構は、本体の内側面に沿って周設する円周リブ及び後述する外筒の外側面に突設される係止突起間に係合自在となる軸方向に配設される縦リブと、外側面に該本体の内側面に突設する円周リブと係止自在となる係止突起を一定の間隔を持って突設するとともに、後述する回止筒の軸方向に配設される係合突縁に常時遊嵌される縦スリットを後端縁より軸方向に沿って刻設し、本体内外方向に摺動自在になる外筒とからなり、
第２繰出機構は、軸先端方向に向かって左巻きのネジ部を有し、中皿と一体となるネジ軸と、該ネジ軸が回転不能に貫通するものであって、外周面において該外筒の縦スリットと常時遊嵌する係合突縁を突設し、本体に対して相対的に回転可能になる回止筒と、該ネジ軸のネジ部と噛合する噛合せ部を形成し、本体に対して回転不能になるネジ筒とからなるものであって、
外筒を本体内方向へ摺動させて中筒を露出させるとともに、本体と共に回転するネジ筒によって露出した中筒内において中皿に一体に保持される棒状化粧料を突出させ、又は外筒を本体外方向へ摺動させて中筒を外筒内へ収容してなる
ことを特徴とする請求項１記載の棒状化粧料塗布容器。
【発明の詳細な説明】
【技術分野】
【０００１】
本願発明は、例えば口紅、アイシャドウ、ファンデーション等の棒状化粧料（以下、「棒状化粧料」という。）を出没自在に収容する棒状化粧料塗布容器に関する。
【背景技術】
【０００２】
従来、例えば棒状化粧料を収容する棒状化粧料塗布容器は、本体を回転させることによって該本体内に収容する棒状化粧料を出没自在とするものが一般的である。また、該棒状化粧料塗布容器内に出没自在に収容される棒状化粧料は、溶融した化粧料を筒状である本体内に充?するとともに、冷却、固化させてなるものである。
そして、近年において、上記棒状化粧料は、塗布時のソフト感、発色の良さ、及び艶等が求められていることから非常に柔軟なものである。
【０００３】
しかしながら、上記棒状化粧料は常時本体の内側面に接触しているので、本体内から又は本体内への棒状化粧料の出没時には本体の内側面と棒状化粧料の外周面との間で大きな摩擦が発生するものである。その結果、比較的硬い棒状化粧料であるならば、上記摩擦に耐え得るものであるが、非常に柔軟な棒状化粧料では、特に本体内へ収容しようとすると、上記摩擦に耐えられず、棒状化粧料の破断や本体外への抜出等が生じる恐れがある。
【０００４】
そこで、ラチェット機構を採用してスリーブ内での棒状化粧料の繰り下がりを防止するとともに、棒状化粧料の繰り出し時のピッチを塗布に必要な最小限とすることができるもの（特許文献１参照）や、本体と相対回転可能に装着された先筒内に、棒状化粧料を摺動可能に収容するパイプ部材を収容し、本体と先筒との第一の螺合部及び先筒とパイプ部材との第二の螺合部よりなり、異なるリードを有する繰出機構によって、棒状化粧料を本体内から突出させるときには第一の螺合部により先筒内のパイプを前進させた後、第二の螺合部を働かせてパイプ内の化粧料を突出させ、棒状化粧料を本体内へ収容させるときには第一の螺合部のみを働かせて先筒内のパイプを後退させるもの（特許文献２参照）が提案されている。
【０００５】
ところで、ラチェット機構を採用してスリーブ内での棒状化粧料の繰り下がりを防止するとともに、棒状化粧料の繰り出し時のピッチを塗布に必要な最小限とすることができるものでは、スリーブ内へ棒状化粧料の収容はできないが、スリーブ内より塗布に必要な最小限の棒状化粧料を突出させるものである。その結果、スリーブより突出した棒状化粧料を無駄なく塗布し、塗布後に棒状化粧料をスリーブより突出させることはないものとなる。
しかしながら、棒状化粧料を平滑に塗布する必要があることから、塗布時にスリーブの先端が塗布面に対して直接接触しないようにしなければならず、必要以上に棒状化粧料をスリーブから突出させてしまうものである。従って、塗布後に棒状化粧料がスリーブより突出して残ってしまうと、キャップの装着により棒状化粧料が変形し、さらに装着するキャップのみならず周囲を汚損する恐れがある。
【０００６】
また、本体と相対回転可能に装着された先筒内に、棒状化粧料を摺動可能に収容するパイプ部材を収容し、本体と先筒との第一の螺合部及び先筒とパイプ部材との第二の螺合部よりなり、異なるリードを有する繰出機構によって、棒状化粧料を本体内から突出させるときには第一の螺合部の次に第二の螺合部を働かせ、棒状化粧料を本体内へ収容させるときには第一の螺合部のみを働かせるものでは、棒状化粧料を突出させるパイプ部材は先筒内において出没自在に収容されるものである。その結果、使用後にパイプ部材より棒状化粧料が突出していても、棒状化粧料に干渉することなくキャップを確実に装着することができる。
しかしながら、上記繰出機構の作動は、該繰出機構を構成する第一の螺合部と第二の螺合部との摩擦抵抗又は作動抵抗の大小差により行われるので、この第一の螺合部と第二の螺合部との摩擦抵抗又は作動抵抗が不正確であると第一の螺合部及び第二の螺合部において誤作動が起こる恐れがある。すなわち、棒状化粧料を本体内から突出させるとき、第１螺合部より先に第２螺合部が作動し、必要以上の棒状化粧料が突出し塗布後にパイプ部材を先筒内に収容しても、先筒から棒状化粧料が突出してしまうことで棒状化粧料の破損や、キャップのみならず、周囲をも汚損してしまうものである。そこで、該繰出機構では、該繰出機構を構成する部品において高い精度や追加部品が必要とされるので、製造作業が複雑となり、作業効率は低下して製造コストの上昇を招く恐れがある。
【先行技術文献】
【特許文献】
【０００７】
【特許文献１】特開２００６−１５８７７７号公報
【特許文献２】特許第４６２０６０６号公報
【発明の概要】
【発明が解決しようとする課題】
【０００８】
解決しようとする問題点は、簡単な構造により、棒状化粧料塗布容器内に保持される棒状化粧料の突出又は収容を確実に行うことができない点である。
【課題を解決するための手段】
【０００９】
第１の特徴として、
内装する繰出機構により、外筒内の中筒内において保持される棒状化粧料を前進自在に収容する本体と、該本体の前端開口部に対して着脱自在となるキャップとから構成され、
該本体内において、ネジ軸と連結する中皿と一体となる棒状化粧料を前進可能に保持する中筒と、後述する外筒と共に、本体に対して相対的に回転可能になる回止筒とを固持するものであって、
該本体内において内装される繰出機構を、
該本体内外方向に摺動し、本体内に固持される回止筒と一体となる外筒の第１繰出機構と、
中皿と連結するネジ軸と、該ネジ軸が回転不能に貫通し、外筒と一体となり、本体に対して相対的に回転可能になる回止筒と、該ネジ軸と噛合し、本体に対して相対的に回転不能になるネジ筒とからなる第２繰出機構とからなるものとし、
外筒の本体内外方向への摺動とともに、該外筒と一体となる回止筒によって露出した中筒内において保持される棒状化粧料を突出させ、又は中筒を外筒内へ収容してなるものである。
【００１０】
そのため、中筒内において保持される棒状化粧料の突出又は中筒の収容に際して必要となる外筒の本体内外方向への摺動と、中筒内において保持される棒状化粧料の突出を別の繰出機構によるものとするものである。その結果、本体内に内装する繰出機構を簡単にすることができる上、該繰出機構を構成する部品における高い部品精度を不要とすることができるものである。
さらに、使用時には本体内方向へ摺動する外筒と一体となる回止筒によって、中筒内において保持される棒状化粧料を確実に突出させることができ、使用後には中筒から棒状化粧料が突出していても、外筒からは突出してしまうことなく、中筒を外筒内に確実に収容させることができるものとなる。
【００１１】
第１の特徴を踏まえて、第２の特徴として、
上記繰出機構において、
第１繰出機構は、側面に軸先端方向に対して左巻きのラセン溝を刻設し、本体に対して嵌合されるラセン筒と、外側面に該ラセン筒のラセン溝に遊嵌する突起を突設するとともに、後端縁に後述する回止筒の片歯カムと一方向のみ噛合して結合自在となる片歯カムを形成して、本体内外方向に摺動自在となる外筒とからなり、
第２繰出機構は、軸先端方向に向かって左巻きのネジ部を有し、棒状化粧料を保持する中皿と一体となるネジ軸と、該ネジ軸が回転不能に貫通するものであって、外方に向かって突設される鍔部に前記外筒の片歯カムと一方向のみ噛合して結合自在となる片歯カムを形成して、本体に対して相対的に回転可能になる回止筒と、該ネジ軸のネジ部と噛合する噛合せ部を形成し、本体に対して回転不能となるように嵌合されるネジ筒とからなるものであって、
本体の回転によって、外筒を本体内方向へ摺動させて中筒を露出させるとともに、外筒の片歯カムと回止筒の片歯カムとを噛合させて一体に結合させた上で、ネジ筒によって露出した中筒内において中皿に一体に保持される棒状化粧料を突出させ、又は外筒を本体外方向へ摺動させて中筒を外筒内ヘ収容してなるものである。
【００１２】
そのため、本体の回転により本体内外方向に外筒を摺動させる第１繰出機構を、本体内に嵌合するラセン筒のラセン溝と、該ラセン溝に遊嵌される外筒の突起とからなるものとし、中筒内に保持される棒状化粧料を突出させる第２繰出機構とは別にするものである。その結果、繰出機構を簡単にすることができる上、該繰出機構を構成する部品における高い部品精度を不要とすることができるものである。
さらに、使用時には本体を右回転させることで、本体内側面のラセン溝に突起を遊嵌する外筒は本体内方向へ摺動して中筒を露出させるとともに、外筒の片歯カムと本体内の固持される回止筒の片歯カムとが噛合して両者は一体に結合した上で、本体に対して相対的に回転不能に嵌合されるネジ筒とネジ軸との噛合を介して該ネジ軸と一体となる中皿を前進させるものである。その結果、中筒より棒状化粧料を突出させることができるものとなる。一方、使用後には本体を反対方向に左回転させることで、該外筒の片歯カムと回止筒の片歯カムとの噛合による結合が解離するとともに、外筒はその突起を遊嵌するラセン溝によって誘導されて本体外方向へ摺動するものとなる。その結果、外筒内へ中筒を確実に収容できるものとなる。
すなわち、本体内外方向へ摺動する外筒と回止筒における片歯カム同士による結合又は解離によってのみ、露出した中筒内において保持される棒状化粧料を確実に突出させ、又は中筒から棒状化粧料を突出していても、外筒からは突出してしまうことなく、中筒を外筒内へ確実に収容することができるものとなる。
【００１３】
第１の特徴を踏まえて、第３の特徴として、
上記繰出機構において、
第１繰出機構は、本体の内側面に沿って周設する円周リブ及び後述する外筒の外側面に突設される係止突起間に係合自在となる軸方向に配設される縦リブと、外側面に該本体の内側面に突設する円周リブと係止自在となる係止突起を一定の間隔を持って突設するとともに、後述する回止筒の軸方向に配設される係合突縁に常時遊嵌される縦スリットを後端縁より軸方向に沿って刻設し、本体内外方向に摺動自在になる外筒とからなり、
第２繰出機構は、軸先端方向に向かって左巻きのネジ部を有し、中皿と一体となるネジ軸と、該ネジ軸が回転不能に貫通するものであって、外周面において該外筒の縦スリットと常時遊嵌する係合突縁を突設し、本体に対して相対的に回転可能になる回止筒と、該ネジ軸のネジ部と噛合する噛合せ部を形成し、本体に対して回転不能になるネジ筒とからなるものであって、
外筒を本体内方向へ摺動させて中筒を露出させるとともに、本体と共に回転するネジ筒によって露出した中筒内において中皿に一体に保持される棒状化粧料を突出させ、又は外筒を本体外方向へ摺動させて中筒を外筒内へ収容してなるものである。
【００１４】
そのため、本体内外方向に外筒を摺動させる第１繰出機構を、本体の内側面に軸方向に突設する縦リブと外側面に突設する係合突起により係合自在としてなる外筒を手でもって本体内外方向へ押勢することによって摺動させるものとし、中筒内に保持される棒状化粧料を突出させる第２繰出機構とは別にするものである。その結果、本体内に内装する繰出機構を簡単にすることができる上、該繰出機構を構成する部品における、高い部品精度を不要とすることができる。
さらに、使用時には外筒を本体内方向へ押勢することによって、外筒の係止突起と本体の内側面に突設された円周リブとの係止、及び本体の内側面に突設する縦リブと、該縦リブと係合して本体に対して回転不能となっている外筒の係止突起間との係合が解離しつつ外筒の縦スリットが回止筒の係合突縁に誘導されながら摺動して中筒を露出させるとともに、さらに本体を回転させることによって、本体に対して相対的に回転不能になるネジ筒とネジ軸との噛合を介して該ネジ軸と一体となる中皿を前進させるものである。その結果、中筒より棒状化粧料を突出させることができるものとなる。一方、使用後には外筒を本体外方向へ押勢することで外筒の縦スリットが回止筒の係合突縁に誘導されながら摺動して、該外筒の係止突起と本体の内側面に突設された円周リブとが係止するとともに、本体の縦リブが外筒の係止突起間とが係合するものとなる。その結果、外筒に対して本体は回転不能となるとともに、中筒を外筒へ確実に収容することができるものである。
すなわち、本体の円周リブと外筒の係止突起との係止、及び本体の縦リブと外筒の係止突起間と係合の結合又は解離によってのみ、露出した中筒内において保持される棒状化粧料を確実に突出させ、又は中筒から棒状化粧料を突出していても、外筒からは突出してしまうことなく中筒を外筒内へ確実に収容することができるものである。
【発明の効果】
【００１５】
本願発明は、本体内外方向に摺動自在となる外筒と、本体内に固持される回止筒との結合を介して、外筒内の中筒を露出させながら該中筒内において保持される棒状化粧料を突出させ、又は中筒を外筒内に収容するものであるから、簡単な構造により製造コストの低減を図ることができるとともに、使用時には中筒より棒状化粧料を確実に突出させ、さらに使用後は中筒から棒状化粧料を突出していても、外筒からは突出してしまうことなく外筒内に中筒を確実に収容するので、たとえ柔軟な棒状化粧料であっても該棒状化粧料の破損、及び装着するキャップのみならず周囲への汚損を防止できる優れた効果を有するものである。
【図面の簡単な説明】
【００１６】
【図１】図１は、本願発明の実施例１である棒状化粧料塗布容器の拡大断面図である。
【図２】図２は、本願発明の実施例１である棒状化粧料塗布容器の作動状態を示す図である。
【図３】図３（イ）は本願発明の実施例１である棒状化粧料塗布容器の繰出機構Ａをなす第１繰出機構のラセン筒の平面図と縦断面図、（ロ）は本願発明の実施例１である棒状化粧料塗布容器の繰出機構Ａをなす第１繰出機構の外筒の正面図と底面図、及び（ハ）は本願発明の実施例１である棒状化粧料塗布容器の繰出機構Ａをなす第２繰出機構の回止筒の平面図と部分断面図と底面図である。
【図４】図４は、本願発明の実施例２である棒状化粧料塗布容器の拡大断面図である。
【図５】図５は、本願発明の実施例２である棒状化粧料塗布容器の作動状態を示す図である。
【図６】図６は、（イ）は本願発明の実施例２である棒状化粧料塗布容器の本体の部分断面図、（ロ）は本願発明の実施例２である棒状化粧料塗布容器の繰出機構Ｂをなす第１繰出機構の外筒の正面図と底面図、及び（ハ）は本願発明の実施例２である棒状化粧料塗布容器の繰出機構Ｂをなす第２繰出機構の回止筒の平面図と部分断面図と底面図である。
【発明を実施するための形態】
【００１７】
中筒内において保持された棒状化粧料の突出、又は外筒内への中筒の収容を確実に行えるように、繰出機構を分割して簡単な構造とした上で、該繰出機構を構成する部品における高い部品精度を不要として実現した。
【実施例１】
【００１８】
図１において示すのは、本願発明の実施例１である棒状化粧料塗布容器１であり、該棒状化粧料塗布容器１は、内装する繰出機構Ａにより、外筒３内で中筒４内において保持される棒状化粧料５を収容する本体２と、該本体２の前端開口部２ａに対して着脱自在となるキャップ１２とから構成されものである。
【００１９】
さらに、該本体２内において、ネジ軸６と連結する中皿７と一体となる棒状化粧料５を前進可能に保持する中筒４と、後述する外筒３と結合自在となり、本体２の後端開口部２ｂに密嵌される尾栓９に対して相対的に回転可能になる回止筒８とを固持してなるものである。
【００２０】
そして、該本体２内に内装される棒状化粧料５の繰出機構Ａは、本体２内方向へ外筒３を摺動させて中筒４を露出させるとともに、該外筒３が回止筒８と結合する第１繰出機構Ａ’と、中筒４内において中皿７と一体となって保持される棒状化粧料５を前進可能としてなる第２繰出機構Ａ”とからなるものである。
【００２１】
すなわち、第１繰出機構Ａ’は、側面に軸先端方向に対して左巻きのラセン溝１０ａを対向するように刻設し、本体２に対して相対的に回転不能に嵌合されるラセン筒１０と、外側面に該ラセン筒１０のラセン溝１０ａに各々遊嵌する突起３ａを対向するように突設するとともに、後端縁に後述する回止筒８の片歯カム８ｂ（該片歯カム８ｂは、正面方向からみて右上がりの直角三角形状の歯となっている。）と一方向のみ噛合（従って、本体の左回転ではフリーとなり、右回転で噛合する。）して結合自在となる片歯カム３ｂ（該片歯カム３ｂは、正面方向からみて左下がりの直角三角形状の歯となっている。）を形成し、本体２内外方向に摺動自在に保持される外筒３とからなるものである。
【００２２】
また、第２繰出機構Ａ”は、軸先端方向に向かって右巻きのネジ部６ａを有し、棒状化粧料５を保持する中皿７と一体となるネジ軸６と、該ネジ軸６が回転不能に貫通するものであって、外方に向かって突設される鍔部８ａに前記外筒３の片歯カム３ｂ（該片歯カムは、正面方向からみて左下がりの直角三角形状の歯となっている。）と一方向のみ噛合（従って、左回転ではフリーとなり、右回転で噛合する。）して結合自在となる片歯カム８ｂ（該片歯カム８ｂは、正面方向からみて右上がりの直角三角形状の歯となっている。）を形成し、本体２の後端開口部２ｂに密嵌する尾栓９に対して相対的に回転可能になる回止筒８と、回止筒８に対しては相対的に回転可能となり、該ネジ軸６のネジ部６ａと噛合する噛合せ部１１ａを形成し、本体２の後端開口部２ｂに密嵌する尾栓９に対して回転不能に嵌合されるネジ筒１１とからなるものである。
【００２３】
本願発明の実施例１である棒状化粧料塗布容器１の本体２内に内装される繰出機構Ａは以上の構成を具えるので、次のようにして、使用時には中筒４内において中皿７を一体となって保持される棒状化粧料５を簡単、確実に突出させ、また使用後には外筒３内に中筒４を簡単、且つ確実に収容させてなるものである。
【００２４】
まず、使用時には、本体２に装着されたキャップ１２を取り外した後、中筒４を内部に収容する外筒３を手でもって本体２を右回転させると、外筒３の外側面に突設される突起３ａはラセン筒１０の側面に刻設される左巻きのラセン溝１０ａに遊嵌されていて該突起３ａはラセン溝１０ａに沿って動くことになるので、外筒３は本体２内方向へ摺動するものとなる。その結果、外筒３内の中筒４が外筒３外に露出するとともに、外筒３はラセン溝１０ａの末端で動きが止められた上で、本体２内方向へ摺動する外筒３と回止筒８とは、外筒３の片歯カム３ｂと回止筒８の片歯カム８ｂとが噛合し、両者３、８は相対的に回転不能となるように一体に結合するものである。
そして、さらに外筒３を手でもって本体２を右回転させると、該本体２の後端開口部２ｂに密嵌する尾栓９に対して相対的に回転不能になるネジ筒１１は本体２とともに回転し、該ネジ筒１１は中筒４内において棒状化粧料５を保持する中皿７と一体になるネジ軸６と噛合し、且つ該ネジ軸６は手で持たれた外筒３と一体となって回転不能である回止筒８によってその回転が規制されているので、ネジ軸６は該ネジ軸６と一体となる中皿７とともに前進して、中筒４より棒状化粧料５を突出させることができるものとなる。
従って、中筒４内において保持される棒状化粧料５は、外筒３を本体２内方向へ摺動させて回止筒８と結合させることによってのみ前進可能となり、棒状化粧料５を確実に突出させることができるものとなる。
【００２５】
一方、使用後には、外筒３を手でもって本体２を左回転させると、外筒の３外側面に突設される突起３ａがラセン筒１０の側面に刻設される左巻きのラセン溝１０ａに遊嵌されていて、該突起３ａはラセン溝１０ａに沿って動くことになるので、互いに噛合し一体に結合している外筒３の片歯カム３ａと回止筒８の片歯カム３ａとは解離して回止筒８とは自由になるとともに、外筒３は本体２外方向へ摺動するものとなる。その結果、外筒３は露出していた中筒４を確実に収容することができるものとなる。
従って、外筒３を回止筒と解離させ、本体２外方向へ摺動させることで中筒４を外筒３内に収容するものであるので、中筒４外に棒状化粧料５を突出させたままでもキャップ１２を確実に装着することができ、また突出していても、外筒からは突出してしまうことはないので、該棒状化粧料５に対して損傷させること、及び中筒４の収容にあたって誤作動で中筒４外へ棒状化粧料５を過剰に突出させることをも確実に防止できるものとなる。
【実施例２】
【００２６】
図４において示すのは、本願発明の実施例２である棒状化粧料塗布容器１’であり、該棒状化粧料塗布容器１’は、実施例１と同様に、内装する繰出機構Ｂにより、外筒３’内で中筒４’内において保持される棒状化粧料５’を収容する本体２’と、該本体２’の前端開口部２ａ’に対して着脱自在とするキャップ１２’とから構成されものである。
【００２７】
さらに、実施例１と同様に、該本体２’内において、後方に向かうネジ軸６’と連結する中皿７’と一体となる棒状化粧料５’を前進可能に保持する中筒４’と、後述する外筒３’と結合自在となり、本体２’の後端開口部２ｂ’に密嵌する尾栓に対して相対的に回転可能になる回止筒８’とを固持してなるものである。
【００２８】
そして、該本体２’内に内装される棒状化粧料５’の繰出機構Ｂは、本体２’内方向へ外筒３’を摺動させて中筒４’を露出させるとともに、該外筒３’が回止筒８’と結合する第１繰出機構Ｂ’と、中筒４’内において中皿７’と一体となって保持される棒状化粧料５’を前進可能としてなる第２繰出機構Ｂ”とからなるものである。
【００２９】
すなわち、第１繰出機構Ｂ’は、本体２’の内側面に沿って周設する円周リブ２ｃ’、２ｃ’及び後述する外筒３’の外側面に突設される係止突起３ａ’間に係合自在となる軸方向に突設する縦リブ２ｄ’と、外側面に該本体２’の内側面に突設する円周リブ２ｃ’、２ｃ’と係止自在となる係止突起３ａ’を一定の間隔をもって突設するとともに、後述する回止筒８’の軸方向に配設される係合突縁８ａ’に常時遊嵌される縦スリット３ｂ’を後端縁より軸方向に沿って対向するように刻設し、本体２’内外方向に摺動自在になる外筒３’とからなるものである。
【００３０】
また、第２繰出機構Ｂ”は、軸先端方向に向かって左巻きのネジ部６ａ’を有し、中皿７’と一体となるネジ軸６’と、該ネジ軸６’が回転不能に貫通するものであって、外側面において該外筒３’の縦スリット３ｂ’と常時遊嵌する係合突縁８ａ’を突設し、本体２’の後端開口部２ｂ’に密嵌する尾栓９’に対して相対的に回転可能になる回止筒８’と、該ネジ軸６’のネジ部６ａ’と歯合する噛合せ部１１ａ’を形成し、本体２’の後端開口部２ｂ’に密嵌する尾栓９’に対して回転不能になるネジ筒１１’とからなるものである。
【００３１】
本願発明の実施例２である棒状化粧料塗布容器１’の本体２’内に内装される繰出機構Ｂは以上の構成を具えるので、次のようにして、使用時には中筒４’内において中皿７’を一体となって保持される棒状化粧料５’を簡単、且つ確実に突出させ、また使用後には外筒３’内に中筒４’を簡単、且つ確実に収容させてなるものである。
【００３２】
まず、使用時には、本体２’に装着されたキャップ１２’を取り外した後、中筒４’を内部に収容する外筒３’を手でもって本体２’内方向へ押勢することにより、外筒３’の係止突起３ａ’と本体２’の内側面に突設された円周リブ２ｃ’、２ｃ’との係止、及び本体２’の内側面に突設する縦リブ２ｄ’と係合して本体２’に対して回転不能となっている外筒３’の係止突起３ａ’間との係合が解離しつつ外筒３’の縦スリット３ｂ’が常時遊嵌する回止筒８’の係合突縁８ａ’に誘導されながら該外筒３’は摺動するものとなる。その結果、外筒３’内の中筒４’は外筒３’外に露出するとともに、本体２’内方向へ摺動する外筒３’と回止筒８’とは、外筒３’の縦スリット３ｂ’と回止筒８’の係合突縁８ａ’との遊嵌により一体に結合しているものである。
そして、さらに外筒３’を手でもって本体２’を右回転させると、該本体２’の後端開口部２ｂ’に密嵌する尾栓９’に対して相対的に回転不能になるネジ筒１１’は本体２’とともに回転し、該ネジ筒１１’は中筒４’内において棒状化粧料５’を保持する中皿７’と一体になるネジ軸６’と噛合し、且つ該ネジ軸６’は手で持たれた外筒３’と一体となって回転不能である回止筒８’によってその回転が規制されているので、ネジ軸６’は該ネジ軸６’と一体となる中皿７’とともに前進して、中筒４’より棒状化粧料５’が突出させることができるものとなる。
従って、中筒４’内において保持される棒状化粧料５’は、外筒３’を本体２’内方向へ摺動させて回止筒８’と結合させることによってのみ前進可能となり、棒状化粧料５’を確実に突出させることができるものとなる。
【００３３】
一方、使用後には、外筒３’を手でもって本体２’外方向へ押勢すると、外筒３’は、該外筒３’の縦スリット３ｂ’が回止筒８’の係合突縁８ａ’に誘導されながら本体２’外方向へ摺動するものである。その結果、外筒３’の係止突起３ａ’と本体２’の内側面に周設される円周リブ２ｃ’、２ｃ’とが係止するとともに、本体２’の縦リブ２ｄ’が外筒３’の係止突起３ａ’間とが係合するものとなる。その結果、本体２’に対して外筒３’は相対的に回転不能になるとともに露出していた中筒４’を確実に収容することができるものとなる。
従って、外筒３’を本体２’外方向へ摺動して回止筒８’と解離させ、本体２’外方向へ摺動させることで中筒４’を外筒３’内に収容するものであるので、中筒４’外に棒状化粧料５’を突出させたままでもキャップ１２’を確実に装着することができ、また突出していても、外筒からは突出してしまうことはないので、棒状化粧料５’に対して損傷させること、及び中筒４’の収容にあたって誤作動で中筒４’外へ棒状化粧料５’を過剰に突出させることをも確実に防止できるものとなる。
【産業上の利用可能性】
【００３４】
本願発明は、棒状化粧料塗布容器内に保持される棒状化粧料を簡易且つ確実に出没させることができるので、アイライナーペンシルやアイブローペンシル等の芯状化粧料においても適用できる。
【符号の説明】
【００３５】
１、１’    棒状化粧料塗布容器
２、２’    本体
２ａ、２ａ’    前端開口部
２ｂ、２ｂ’    後端開口部
２ｃ’    円周リブ
２ｄ’    縦リブ
３、３’    外筒
３ａ    突起
３ｂ    片歯カム
３ａ’    係止突起
３ｂ’    縦スリット
４、４’    中筒
５、５’    棒状化粧料
６、６’    ネジ軸
６ａ、６ａ’    ネジ部
７、７’    中皿
８、８’    回止筒
８ａ    鍔部
８ｂ    片歯カム
８ａ’  係合突縁
９、９’    尾栓
１０    ラセン筒
１０ａ    ラセン溝
１１、１１’    ネジ筒
１１ａ、１１ａ’    噛合せ部
１２、１２’  キャップ    
【図１】
2014014527.tif 000003
【図２】
2014014527.tif 000004
【図３】
2014014527.tif 000005
【図４】
2014014527.tif 000006
【図５】
2014014527.tif 000007
【図６】
2014014527.tif 000008